【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
吸込口を設けたタンクの上部に、電動送風機を備えた本体を設けて、前記電動送風機の駆動により前記吸込口から吸い込んだ外気を、前記タンク及び前記本体を通過させて排出可能とする一方、前記タンク内に、前記吸込口から前記電動送風機に至る吸気通路上で前記吸込口と前記本体との間を仕切り、前記外気中の粉塵を捕捉可能なフィルタを設けた集塵機であって、
前記吸気通路を、それぞれ前記タンク内に突出する前記フィルタを備えて前記電動送風機の上流側で合流するように一対形成する一方、
前記電動送風機の下流側の排気通路と各前記吸気通路とをそれぞれ連通させる一対の連通路を形成して、
各前記吸気通路における前記連通路よりも下流側に、前記吸気通路を開閉可能で且つ常態で前記吸気通路を開放する位置に付勢される第１開閉部材をそれぞれ設けると共に、前記連通路に、前記連通路を開閉可能で且つ常態で前記連通路を閉鎖する位置に付勢され、前記第１開閉部材による前記吸気通路の閉動作に連動して前記連通路を開放する第２開閉部材をそれぞれ設けて、各前記吸気通路の前記第１開閉部材を交互に前記閉動作可能な動作手段を設けて、
前記動作手段によって一方の前記第１開閉部材を前記閉動作させて前記第２開閉部材によって前記連通路を開放させた際に、前記排気通路内の排気を前記連通路を介して一方の前記吸気通路に導き、前記排気を、当該吸気通路内を逆流させて前記フィルタを介して前記タンク内に戻し、他方の前記吸気通路に合流させることで、前記一方の前記吸気通路の前記フィルタの塵落としを可能にしたことを特徴とする集塵機。
【請求項２】
前記動作手段を、一対の前記第１開閉部材の間に配置された１つのモータと、そのモータの出力軸に設けられ、当該出力軸の回転に伴って前記第１開閉部材へ交互に当接して前記閉動作させるカム部材としたことを特徴とする請求項１に記載の集塵機。
【請求項３】
前記一対の前記吸気通路を形成する前記フィルタを、前記モータの外側に間隔をおいて対向状に配置して、各前記第１開閉部材を、各前記フィルタと前記モータとの間に配置したことを特徴とする請求項２に記載の集塵機。
【請求項４】
前記フィルタは、帯電防止加工が施されて前記粉塵を捕捉可能な一次フィルタを備えることを特徴とする請求項１ないし３のいずれかに記載の集塵機。
【請求項５】
各前記吸気通路における前記連通路よりも下流側に、前記常態の前記第１開閉部材と通気間隔を保って対向し、通気口が設けられた傾斜部を形成して、前記閉動作させた前記第１開閉部材は、前記通気口を閉塞し且つ前記通気間隔をなくした状態で前記傾斜部に当接可能としたことを特徴とする請求項１ないし４のいずれかに記載の集塵機。
【請求項６】
吸込口が設けられ前輪及び後輪によって走行可能とされたタンクと、
前記タンクの上部に固定された本体と、
前記本体の下面に取り付けられて前記タンク内に突出し、前記吸込口から吸い込んだ外気を前記本体に進入させるときに、前記外気をそれぞれ通過させる第１フィルタ及び第２フィルタと、
前記本体と前記第１フィルタとの間を開閉する一の開閉部材と、
前記本体と前記第２フィルタとの間を開閉する他の開閉部材と、
前記一の開閉部材によって前記本体と前記第１フィルタとの間を開放し、前記本体内の前記外気を前記第１フィルタに逆流させる動作と、前記他の開閉部材によって前記本体と前記第２フィルタとの間を開放し、前記本体内の前記外気を前記第２フィルタに逆流させる動作と、を交互に行わせる１つのモータと、
を有することを特徴とする集塵機。
【請求項７】
前輪及び後輪と、
前記前輪及び前記後輪に支持されるタンクと、
前記タンクの上部に保持される本体と、
前記本体に保持される第１フィルタ及び第２フィルタと、
前記第１フィルタに排気を逆流させるための第１開閉部材と、
前記第２フィルタに排気を逆流させるための第２開閉部材と、
前記第１開閉部材及び第２開閉部材を動作させるための１つのモータと、を有する集塵機。
【手続補正２】
【補正対象書類名】明細書
【補正対象項目名】００１１
【補正方法】変更
【補正の内容】
【００１１】
請求項５の発明は、請求項１ないし４のいずれかにおいて、各前記吸気通路における前記連通路よりも下流側に、前記常態の前記第１開閉部材と通気間隔を保って対向し、通気口が設けられた傾斜部を形成して、前記閉動作させた前記第１開閉部材は、前記通気口を閉塞し且つ前記通気間隔をなくした状態で前記傾斜部に当接可能としたことを特徴とする。
請求項６の発明に係る集塵機は、吸込口が設けられ前輪及び後輪によって走行可能とされたタンクと、前記タンクの上部に固定された本体と、前記本体の下面に取り付けられて前記タンク内に突出し、前記吸込口から吸い込んだ外気を前記本体に進入させるときに、前記外気をそれぞれ通過させる第１フィルタ及び第２フィルタと、前記本体と前記第１フィルタとの間を開閉する一の開閉部材と、前記本体と前記第２フィルタとの間を開閉する他の開閉部材と、前記一の開閉部材によって前記本体と前記第１フィルタとの間を開放し、前記本体内の前記外気を前記第１フィルタに逆流させる動作と、前記他の開閉部材によって前記本体と前記第２フィルタとの間を開放し、前記本体内の前記外気を前記第２フィルタに逆流させる動作と、を交互に行わせる１つのモータと、を有することを特徴とする。
請求項７の発明に係る集塵機は、前輪及び後輪と、前記前輪及び前記後輪に支持されるタンクと、前記タンクの上部に保持される本体と、前記本体に保持される第１フィルタ及び第２フィルタと、前記第１フィルタに排気を逆流させるための第１開閉部材と、前記第２フィルタに排気を逆流させるための第２開閉部材と、前記第１開閉部材及び第２開閉部材を動作させるための１つのモータと、を有する。
【手続補正３】
【補正対象書類名】明細書
【補正対象項目名】００１２
【補正方法】変更
【補正の内容】
【００１２】
請求項１の発明に係る集塵機によれば、動作手段によって一対の吸気通路の各第１開閉部材が交互に閉動作することで、一対の吸気通路のフィルタの塵落としを交互に行うことが可能となる。よって、集塵機の運転中も一対の吸気通路のフィルタの清掃が可能になる。さらに、動作手段によって第１開閉部材と第２開閉部材とを作動させるため、両開閉部材の作動には電気的な制御が不要となり、集塵機の構造が簡単になる。
請求項２の発明によれば、各第１開閉部材を交互に閉動作させるモータ及びカム部材の設置数を最小限に抑えることができる。これに伴って、集塵機の製造コストを抑えることができる。
請求項３の発明によれば、一対の吸気通路を形成するフィルタを、モータ及び各第１開閉部材と干渉させることなくタンクの縦寸法が増加することを抑制した状態でタンク内に配置できる。
請求項４の発明によれば、一次フィルタに静電気が帯電することを抑制できる。これにより、粉塵が静電気で一次フィルタに吸着することが抑えられるため、フィルタの塵離れが良好になる。
請求項５の発明によれば、常態の各第１開閉部材と、各吸気通路における連通路よりも下流側との間には通気口を設けた上で通気間隔が保たれることで、常態では各吸気通路を開放できる。一方、第１開閉部材を閉動作させたときは、前記通気口を閉塞し且つ前記通気間隔がなくなることで、各吸気通路を閉塞できる。
請求項６，７の発明に係る集塵機によれば、１つのモータによって、本体内の外気（排気）を第１フィルタに逆流させる動作と、前記本体内の外気（排気）を第２フィルタに逆流させる動作と、を交互に行わせることで、第１フィルタの塵落としと、第２フィルタの塵落としと、を交互に行うことが可能となる。